(57)【特許請求の範囲】
【請求項１】
ユーザ機器（ＵＥ）であって、
前記ＵＥのサービングセルのｅＮＢ（evolved  Node  B）からＲＲＣ（Radio  Resource  Control）メッセージを受信するよう構成される受信回路であって、前記ＲＲＣメッセージは前記のサービングセルｅＮＢに関連するキャリア情報を有する、受信回路と、
前記サービングセルｅＮＢのキャリア情報から、キャリアタイプ、同期情報及びＲＲＭ（Radio  Resource  Management）測定情報を抽出するよう構成される処理回路と、
前記サービングセルｅＮＢのキャリア情報に関連する前記同期情報に基づき、前記ＵＥを前記サービングセルｅＮＢに同期させるよう構成される同期回路と、
前記サービングセルｅＮＢのキャリア情報に関連する前記ＲＲＭ測定情報に基づき、前記サービングセルｅＮＢに対してＲＲＭ信号測定を実行するよう構成される信号測定回路と、
を有するＵＥ。
【請求項２】
前記サービングセルｅＮＢからの前記ＲＲＣメッセージは、近隣セルｅＮＢに関連するキャリア情報を更に有し、前記処理回路は、前記近隣セルｅＮＢのキャリア情報からキャリアタイプ、同期情報及びＲＲＭ測定情報を抽出するよう更に構成される、請求項１に記載のＵＥ。
【請求項３】
前記同期回路は、前記近隣セルｅＮＢのキャリア情報に関連する前記同期情報に基づき、前記ＵＥを前記近隣セルｅＮＢに同期させるよう更に構成され、前記信号測定回路は、前記近隣セルｅＮＢのキャリア情報に関連する前記ＲＲＭ測定情報に基づき、前記近隣セルｅＮＢに対してＲＲＭ信号測定を実行するよう更に構成される、請求項２に記載のＵＥ。
【請求項４】
前記キャリアタイプは、後方互換キャリアタイプ、非同期新キャリアタイプ、及び／又は同期新キャリアタイプである、請求項１に記載のＵＥ。
【請求項５】
前記同期情報は、ＰＳＳ（Primary  Synchronization  Signal）／ＳＳＳ（Secondary  Synchronization  Signal）の状態指示、及び前記ＰＳＳ／ＳＳＳに関連する参照セルインデックスを有する、請求項１に記載のＵＥ。
【請求項６】
前記ＲＲＭ測定情報は、ＣＳＩ−ＲＳ（Channel  State  Information  Reference  Signal）使用指示及びＣＲＳ（Cell  Specific  Reference  Signal）使用指示を有する、請求項１に記載のＵＥ。
【請求項７】
前記ＲＲＭ測定情報は、ＣＲＳ送信のためのサブフレーム識別子、及びｅＰＤＣＣＨ（enhanced  Physical  Downlink  Control  Channel）のためのサブフレーム識別子を有する、請求項１に記載のＵＥ。
【請求項８】
前記ＲＲＭ測定情報は、前記サービングセルｅＮＢの無線フレームと前記近隣セルｅＮＢの無線フレームとの間のスロット番号オフセット、及び前記サービングセルｅＮＢの前記無線フレームと前記近隣セルｅＮＢの前記無線フレームとの間のスロットタイミングオフセットを有する、請求項２に記載のＵＥ。
【請求項９】
ユーザ機器（ＵＥ）であって、
前記ＵＥのサービングセルのｅＮＢ（evolved  Node  B）からＲＲＣ（Radio  Resource  Control）メッセージを受信するよう構成される受信回路であって、前記ＲＲＣメッセージは、前記ＵＥに関連する近隣セルのリストを有する、受信回路と、
前記近隣セルのリストから、近隣セルｅＮＢに関連するキャリア情報を抽出するよう構成される処理回路であって、前記キャリア情報は、キャリアタイプ、同期情報、及びＲＲＭ（Radio  Resource  Management）測定情報を有する、処理回路と、
前記同期情報に基づき、前記近隣セルｅＮＢに前記ＵＥを同期させるよう構成される同期回路と、
を有するＵＥ。
【請求項１０】
前記キャリアタイプは、後方互換キャリアタイプ、非同期新キャリアタイプ、及び／又は同期新キャリアタイプである、請求項９に記載のＵＥ。
【請求項１１】
前記ＲＲＭ測定情報に基づき、前記近隣セルｅＮＢに対してＲＲＭ信号測定を実行するよう構成される信号測定回路を更に有し、前記同期情報は、ＰＳＳ（Primary  Synchronization  Signal）／ＳＳＳ（Secondary  Synchronization  Signal）の状態指示及び前記ＰＳＳ／ＳＳＳに関連する参照セルインデックスを有する、請求項９に記載のＵＥ。
【請求項１２】
前記ＲＲＭ測定情報は、ＣＳＩ−ＲＳ（Channel  State  Information  Reference  Signal）使用指示及びＣＲＳ（Cell  Specific  Reference  Signal）使用指示を有する、請求項９に記載のＵＥ。
【請求項１３】
前記ＲＲＭ測定情報は、ＣＲＳ送信のためのサブフレーム識別子、及びｅＰＤＣＣＨ（enhanced  Physical  Downlink  Control  Channel）のためのサブフレーム識別子を有する、請求項９に記載のＵＥ。
【請求項１４】
前記ＲＲＭ測定情報は、前記サービングセルｅＮＢの無線フレームと前記近隣セルｅＮＢの無線フレームとの間のスロット番号オフセット、及び前記サービングセルｅＮＢの前記無線フレームと前記近隣セルｅＮＢの前記無線フレームとの間のスロットタイミングオフセットを有する、請求項９に記載のＵＥ。
【請求項１５】
前記処理回路に結合されるメモリと、前記処理回路に結合される入力／出力（Ｉ／Ｏ）システムと、前記Ｉ／Ｏシステムに結合されるタッチスクリーンディスプレイとを更に有する請求項９に記載のＵＥ。
【請求項１６】
ユーザ機器（ＵＥ）であって、
前記ＵＥのサービングセルのｅＮＢ（evolved  Node  B）からメッセージを受信するよう構成される受信回路であって、前記メッセージはＳＩＢ（System  Information  Block）を有し、前記ＳＩＢは前記ＵＥに関連する近隣セルのリストを有する、受信回路と、
前記近隣セルのリストから、近隣セルｅＮＢに関連するキャリア情報を抽出するよう構成される処理回路であって、前記キャリア情報は、キャリアタイプ、同期情報、及びＲＲＭ（Radio  Resource  Management）測定情報を有する、処理回路と、
前記同期情報に基づき、前記近隣セルｅＮＢに前記ＵＥを同期させるよう構成される同期回路と、
前記ＲＲＭ測定情報に基づき、前記近隣セルｅＮＢに対してＲＲＭ信号測定を実行するよう構成される信号測定回路と、
を有するＵＥ。
【請求項１７】
前記ＳＩＢはSystem  Information  Block  Type  ４であり、前記近隣セルｅＮＢは前記サービングセルｅＮＢに関連するイントラ周波数セルである、請求項１６に記載のＵＥ。
【請求項１８】
前記ＳＩＢはSystem  Information  Block  Type  ５であり、前記近隣セルｅＮＢは前記サービングセルｅＮＢに関連するインター周波数セルである、請求項１６に記載のＵＥ。
【請求項１９】
前記キャリアタイプは、後方互換キャリアタイプ、非同期新キャリアタイプ、及び／又は同期新キャリアタイプである、請求項１６に記載のＵＥ。
【請求項２０】
前記同期情報は、ＰＳＳ（Primary  Synchronization  Signal）／ＳＳＳ（Secondary  Synchronization  Signal）の状態指示、及び前記ＰＳＳ／ＳＳＳに関連する参照セルインデックスを有する、請求項１６に記載のＵＥ。
【請求項２１】
前記ＲＲＭ測定情報は、ＣＳＩ−ＲＳ（Channel  State  Information  Reference  Signal）使用指示及びＣＲＳ（Cell  Specific  Reference  Signal）使用指示を有する、請求項１６に記載のＵＥ。
【請求項２２】
前記ＲＲＭ測定情報は、ＣＲＳ送信のためのサブフレーム識別子、及びｅＰＤＣＣＨ（enhanced  Physical  Downlink  Control  Channel）のためのサブフレーム識別子を有する、請求項１６に記載のＵＥ。
【請求項２３】
前記ＲＲＭ測定情報は、前記サービングセルｅＮＢの無線フレームと前記近隣セルｅＮＢの無線フレームとの間のスロット番号オフセット、及び前記サービングセルｅＮＢの前記無線フレームと前記近隣セルｅＮＢの前記無線フレームとの間のスロットタイミングオフセットを有する、請求項１６に記載のＵＥ。
【発明の詳細な説明】
【技術分野】
【０００１】
本開示は、無線ネットワークに関し、より詳細には、無線ネットワーク内のユーザ機器（ＵＥ）へのセル情報の指示を向上する装置及び方法に関する。
【背景技術】
【０００２】
無線ネットワーク、例えばＬＴＥ（Long  Term  Evolution）及びＬＴＥ−Ａ（ＬＴＥ−Advanced）ネットワークは、より高い電力／より広いエリアカバレッジを提供する「マクロセル」と、より低い電力／縮小したエリアカバレッジを提供する「スモールセル」とを含む異種ネットワークであり得る。スモールセルは、家庭又はオフィスカバレッジに適する「フェムトセル」、ショッピングセンタのようなより広い屋内環境のための「ピコセル」を含み得る。基地局、例えばｅＮＢ（evolved  Node  B）通信機は、各セルに関連付けられ、該セルカバレッジエリアを通過する無線モバイル装置、例えばユーザ機器（ＵＥ）にネットワークアクセスを提供する。
【０００３】
ネットワークトラフィックが増大するにつれ、帯域幅利用及び効率を向上させるために、変更されたフレーム構造及び同期方法を伴う新しいキャリアタイプの導入を含む新たなシステム拡張が実装されている。異種ネットワークは、一部は新しいキャリアタイプ（New  Carrier  Type：ＮＴＣ）で動作し他はレガシ―若しくは後方互換キャリアタイプ（Backward−compatible  Carrier  Type：ＢＣＴ）で動作するｅＮＢの混合を含み得る。ｅＮＢは、異なるキャリア周波数で更に動作しても良い。異なるキャリアタイプのｅＮＢ間でのハンドオーバーの可能性を含む、この環境で動作するＵＥは、ネットワーク内のｅＮＢのキャリアタイプに加え、ＵＥ動作の測定及び管理態様に関連する関連パラメータも決定できる必要がある。
【発明の概要】
【発明が解決しようとする課題】
【０００４】
本発明は、無線ネットワーク内のユーザ機器（ＵＥ）へのセル情報の指示を向上する装置及び方法を提供する。
【図面の簡単な説明】
【０００５】
請求される主題の実施形態の特徴及び利点は、図面を参照した上で以下の詳細な説明を読み進めると明らかになる。図中、同様の符号は同様の部分を示す。
【図１】本開示に従う例示的な一実施形態の上位レベルのシステム図を示す。
【図２】本開示に従う例示的な一実施形態のブロック図を示す。
【図３】本開示に従う例示的な一実施形態の信号タイミング図を示す。
【図４】本開示に従う例示的な一実施形態に関連するデータ構造を示す。
【図５】本開示に従う別の例示的な一実施形態に関連するデータ構造を示す。
【図６】本開示に従う別の例示的な一実施形態に関連するデータ構造を示す。
【図７】本開示に従う別の例示的な一実施形態に関連するデータ構造を示す。
【図８】本開示に従う別の例示的な一実施形態に関連するデータ構造を示す。
【図９】本開示に従う別の例示的な一実施形態に関連するデータ構造を示す。
【図１０】本開示に従う例示的な一実施形態のメッセージフロー図を示す。
【図１１】本開示に従う例示的な一実施形態の動作のフローチャートを示す。
【図１２】本開示に従う例示的な一実施形態のプラットフォームを示す。
【発明を実施するための形態】
【０００６】
以下の詳細な説明は説明のための実施形態を参照して進められるが、それらの実施形態の多くの代替、変更及び変形が当業者に明らかである。
【０００７】
概して、本開示は、無線ネットワーク内のＵＥへのセル情報指示を向上するための装置及び方法を提供する。セル情報は、ＵＥのサービングセルｅＮＢ及び／又はＵＥの近隣セルｅＮＢに関連するキャリアタイプに関する情報を含み得る。無線ネットワークは、後方互換タイプ（Backward−compatible  Carrier  Type：ＢＣＴ）キャリア及び新キャリアタイプ（New  Carrier  Type：ＮＣＴ）キャリアの両方を含むキャリアで動作するｅＮＢを有する異種ＬＴＥ又はＬＴＥ−Ａネットワークであっても良い。ｅＮＢは、異なるキャリア周波数で更に動作しても良い。キャリアタイプセル情報は、ＲＲＣ（Radio  Resource  Control）メッセージの一部として送信されても良く、同期情報及びＲＲＭ（Radio  Resource  Management）測定情報を含んでも良い。
【０００８】
幾つかの実施形態では、キャリアタイプセル情報は、近隣セルリストに含まれても良い。幾つかの実施形態では、キャリアタイプセル情報は、（イントラ周波数構成のための）タイプ４ＳＩＢ及び／又は（インター周波数動作のための）タイプ５ＳＩＢであっても良いシステム情報ブロック（System  Information  Block：ＳＩＢ）に含まれても良い。
【０００９】
図１は、本開示に従う例示的な一実施形態の上位レベルのシステム図１００を示す。異種無線ネットワーク１００は、１つのマクロセルｅＮＢ１１０、２つのスモールセルｅＮＢ１０８、１１２、及びＵＥ１１４を含むとして示される。マクロセルｅＮＢ１１０は、周波数Ｆ１で動作するＢＣＴ  ｅＮＢとして構成される。スモールセルｅＮＢ１０８は、周波数Ｆ２で動作するＢＣＴ  ｅＮＢとして構成される。また、スモールセルｅＮＢ１１２は、周波数Ｆ３で動作するＮＣＴ  ｅＮＢとして構成される。
【００１０】
スモールセルは、例えばピコセル及びフェムトセルを含み得る。マクロセルｅＮＢ１１０はセルカバレッジエリア１０２を提供する。一方、スモールセルｅＮＢ１０８はセルカバレッジエリア１０４を提供し、スモールセルｅＮＢ１１２はセルカバレッジエリア１０６を提供する。ＵＥ１１４は、セルカバレッジエリアの各々を通る経路１１６に沿って移動するよう示される。これは、ｅＮＢ間のハンドオーバーを生じ得る。後に詳述するように、ＵＥ１１４は、サービングセル及び／又は近隣セルｅＮＢのキャリアタイプに関する情報、並びにＵＥ動作の測定及び管理特徴に関連する関連パラメータを提供されても良い。
【００１１】
これは説明のために簡略化された例であり、実際には種々の種類のｅＮＢ及びＵＥの任意の構成が展開可能であることが理解されるだろう。異種無線ネットワーク１００は、現在の、以前の及び将来の種々の３ＧＰＰ（Third  Generation  Partnership  Project）ＬＴＥ（Long  Term  Evolution）及び／又はＬＴＥ−Ａ（LTE-Advanced）を含む３ＧＰＰ  ＬＴＥ及び／又はＬＴＥ−Ａ標準に基づく無線ネットワーク標準に準拠するか又は互換性があっても良い。
【００１２】
図２は、本開示に従う例示的な一実施形態のブロック図２００を示す。ＵＥ１１４は、サービングセルｅＮＢ２１０及び１又は複数の近隣セルｅＮＢ２１２と通信しているように示される。ｅＮＢ２１０及び２１２は、マクロセルｅＮＢ１１０、又はスモールセルｅＮＢ１０８及び１１２のいずれかに対応しても良い。ＵＥ１１４は、受信回路２０２、処理回路２０４、同期回路２０６、及び信号測定回路２０８を有するよう示される。
【００１３】
受信回路２０２は、サービングセルｅＮＢ２１０からＲＲＣ（Radio  Resource  Control）メッセージを受信するよう構成されても良い。ＲＲＣメッセージは、サービングセルｅＮＢ２１０のキャリア並びに１又は複数の近隣セルｅＮＢ２１２のキャリアに関する情報を含んでも良い。キャリア情報は、キャリアタイプの指示、同期情報、及びＲＲＭ（Radio  Resource  Management）測定情報を有しても良い。これらのうちのいずれも、処理回路２０４により抽出されても良い。キャリアタイプは、ＢＣＴ、非同期ＮＣＴ、同期ＮＣＴ、及び単独キャリア、を含んでも良い。
【００１４】
同期回路２０６は、キャリア情報から抽出された同期情報に基づき、ＵＥ１１４をサービングセルｅＮＢ２１０及び／又は近隣セルｅＮＢ２１２に同期させるよう構成されても良い。同期情報は、ＰＳＳ（Primary  Synchronization  Signal）／ＳＳＳ（Secondary  Synchronization  Signal）がｅＮＢにより送信されるか否かに関する指示を有しても良い。同期情報は、ＰＳＳ／ＳＳＳが送信されない場合に参照のためにどのセルが用いられるかを示す参照セルインデックスを更に有しても良い。
【００１５】
信号測定回路２０８は、キャリア情報から抽出されたＲＲＭ測定情報に基づき、サービングセルｅＮＢ２１０及び／又は近隣セルｅＮＢ２１２に対してＲＲＭ信号測定を実行するよう構成されても良い。ＲＲＭ測定情報は、ＣＳＩ−ＲＳ（Channel  State  Information  Reference  Signal）又はＣＲＳ（Cell  Specific  Reference  Signal）が測定に用いられるか否かに関する指標を有しても良い。ＲＲＭ測定情報は、ＣＲＳがセル内のどこで送信されるかを示すＣＲＳサブフレームインデックスを有しても良い。
【００１６】
幾つかの実施形態では、キャリア情報は、以下の追加情報、つまり、どこでｅＰＤＣＣＨ（enhanced  Physical  Downlink  Control  Channel）が送信されるかを示すセルインデックス、リソース割り当てタイプ指定、及びリソースブロック配置識別子を提供しても良い。
【００１７】
幾つかの実施形態では、キャリア情報は、図３に示すように、スロット番号オフセット３１２及びスロットタイミングオフセット３０８を提供しても良い。図３は、サービングセルｅＮＢからの無線フレーム３０２、及び近隣セルｅＮＢからの無線フレーム３０４を示す。無線フレーム３０２、３０４は、それぞれ、指定スロット番号３１０を有する。２つの無線フレーム３０２、３０４は、通常、時間的に揃っていないので、両者の間にはタイミング差３０６が存在する。タイミング差は、スロット番号オフセット３１２とスロットタイミングオフセット３０８により表すことができ、ＣＲＳサブフレームを見付けるときにＵＥを支援するためにＵＥに提供される。スロット番号オフセット３１２は、２つの無線フレーム境界の間にある全スロット数を示し、本例（図３）では２に等しい。スロットタイミングオフセット３０８は、サービングセル及び測定されるべき近隣セルの２つの最近接スロット間の時間差を示す。スロットタイミングオフセット３０８は、スロット番号オフセット３１２と組み合わされて、２つの無線フレーム間の合計タイミング差３０６の指標を提供する。
【００１８】
図４〜９は、３ＧＰＰ  ＬＴＥ及び／又はＬＴＥ−Ａ標準の現在の、以前の及び将来のバージョンを含む３ＧＰＰ  ＬＴＥ及び／又はＬＴＥ−Ａ標準に基づく無線ネットワーク標準に準拠する又は互換性のあるデータ構造及び／又はメッセージフィールドを示す。
【００１９】
図４は、本開示に従う例示的な一実施形態に関連するデータ構造４００を示す。ＬＴＥ又はＬＴＥ−Ａシステムでは、サービングセルｅＮＢは、ＮＣＴとして構成され、新しい情報フィールドを含むＲＲＣメッセージをＵＥへ送信しても良い。新しい情報フィールドは、図４に示すようなPhysicalConfigDedicatedSCell−r１１データアイテム４１０、４２０の変形のいずれかを有しても良い。PhysicalConfigDedicatedSCell−r１１データアイテム４１０、４２０は、carrierType−r１１  ４３０及びphysicalConfigDedicatedNewCarrierType４４０を更に有しても良い。これらのデータアイテム４３０、４４０は、セル測定及びセル管理目的で、サービングセルｅＮＢのキャリアタイプに関する情報をＵＥに提供するよう構成されても良い。キャリアタイプデータアイテムは、以下のキャリアタイプ、つまりＢＣＴ、非同期ＮＣＴ、同期ＮＣＴ、及び単独キャリアを有しても良い。幾つかの実施形態では、キャリアタイプデータアイテムは、キャリアタイプの将来のバージョン及び／又は実装の指示を可能にするために、ＢＩＴ  ＳＴＲＩＮＧタイプとして構成されても良い。他の実施形態では、キャリアタイプデータアイテムは、ＢＯＯＬＥＡＮタイプとして構成され、真の値はセルがＮＣＴであることを示すために用いられ、ＵＥはＣＲＳポート０のみが１サブフレーム内で５ｍｓ周期で送信されると想定しても良い。physicalConfigDedicatedNewCarrierType４４０を以下に詳述する。
【００２０】
図５は、本開示に従う別の例示的な一実施形態に関連するデータ構造５００を示す。ＬＴＥ又はＬＴＥ−Ａシステムでは、近隣セルリストは、１又は複数の近隣セル及びこれらの近隣セルの関連付けられたｅＮＢに関する情報を提供する。この情報は、キャリア周波数、帯域幅、並びに近隣セルのＵＥ測定及びサービングセルから近隣セルへのＵＥ１１４の可能なハンドオーバーのために必要な他の情報を有しても良い。近隣セルリストは、MeasObjectEUTRA５１０として知られる情報要素に関連付けられても良い。MeasObjectEUTRA５１０は、サービングセルｅＮＢからのＲＲＣメッセージ（例えば、RRCConnectionReconfigurationメッセージ）の一部として含まれても良い。本実施形態では、MeasObjectEUTRAデータアイテム５１０は新しいデータアイテムneighCellType５２０（図４のcarrierType−ｒ１１  ４３０と同様である）及びphysicalConfigDedicatedNewCarrierType５３０を含んでも良い。
【００２１】
これらデータアイテムは、セル測定及びセル管理目的で、近隣セルｅＮＢ、特に非構成近隣セルｅＮＢのキャリアタイプに関する情報をＵＥに提供するよう構成されても良い。これは、後に詳述する。
【００２２】
図６は、本開示に従う別の例示的な一実施形態に関連するデータ構造６００を示す。physicalConfigDedicatedNewCarrierTypeデータアイテム４４０の詳細は、前述の同期及び測定情報を含むよう示される。同期情報は、データアイテムsynchTransmissionStatus及びreferenceCelllndexを含む。想定情報は、measureCSI−RS及びcrsSubFrameを含む。さらに、ePDCCH−Config、リソース割り当てタイプ、リソースブロック配置、スロット番号オフセット、及びスロットタイミングオフセットが提供される。
【００２３】
幾つかの実施形態では、synchTransmissionStatusデータアイテムは、ＰＳＳ／ＳＳＳが送信されるか否かを示す。ＰＳＳ／ＳＳＳが送信されない場合、referenceCelllndexデータアイテムはどのセルが参照のために用いられるかを示す。measureCSI−RSデータアイテムは、ＣＳＩ−ＲＳがＣＲＳの代わりに測定のために用いられるか否かを示す。crsSubFrameデータアイテムは、ＣＲＳが特定セル内のどこで送信されるかを示す。スロット番号オフセットデータアイテムは、特定セルとサービングセルとの間の送信機におけるスロット番号オフセットを指定する。slotNumberOffsetは、サービングセルの現在のスロット番号と一緒に、該特定セルの現在のスロット番号を計算するために用いられても良い。オフセットは、サービングセルの無線フレームの始めから該特定セルの最も近い後続の無線フレームの始めまでに計数された全スロット数に対応する。このフィールドが存在しない場合、スロットタイミングは、サービングセルに関して同じである。スロットタイミングオフセットデータアイテムは、特定セルとサービングセルとの間の送信機におけるシンボルオフセットを示す。slotTimingOffsetは、サービングセルの現在のスロット境界と一緒に、該特定セルの現在のスロット境界を計算するために用いられても良い。このオフセットは、サービングセルのスロットの始めから特定セルの最も近い後続のスロットの始めまでの時間オフセットに対応する。
【００２４】
図７は、本開示に従う別の例示的な一実施形態に関連するデータ構造７００を示す。CellsToAddModデータアイテム７１０は、MeasObjectEUTRA内で指定される各近隣セルについてのMeasObjectEUTRA５１０データアイテムに含まれても良い。本実施形態では、新しい情報フィールドNewCamerType７２０は、前述のキャリアタイプ、同期及び測定情報を提供するためにCellsToAddModデータ構造７１０に追加されても良い。幾つかの実施形態では、measureCSI−RSデータアイテムがＣＳＩ−ＲＳ  ＲＲＭ測定は上述のようにMeasObjectEUTRAシグナリング内で構成されると示す場合、ＵＥは、ＲＲＭ測定のためのＣＳＩ−ＲＳセットのサイズが関連するキャリア周波数での全ての近隣セルをカバーするのに十分大きいという事実に依存しても良い。
【００２５】
図８は、本開示に従う別の例示的な一実施形態に関連するデータ構造８００を示す。ＬＴＥ又はＬＴＥ−Ａ  ＳＩＢ（System  Information  Block）４の一例は８１０で示される。ＵＥ１１４がＲＲＣアイドル状態である場合、近隣セルリストはＳＩＢ−４  ８１０内で提供され、前述のように特定近隣セルについてのキャリア情報を提供するためにnewCamerTypeフィールド７２０を含むintraFreqNeighCelllnfo−newCarrierTypeデータ構造８２０の追加を伴っても良い。この情報は、セル探索及び再選択を最適化するためにＵＥを支援し得る。
【００２６】
図９は、本開示に従う別の例示的な一実施形態に関連するデータ構造９００を示す。ＬＴＥ又はＬＴＥ−Ａ  ＳＩＢ（System  Information  Block）５の一例は９１０で示される。
【００２７】
ＵＥ１１４がＲＲＣアイドル状態である場合、近隣セルリストはＳＩＢ−５  ９１０内で提供され、前述のように特定近隣セルについてのキャリア情報を提供するためにnewCamerTypeフィールド７２０を含むinterFreqNeighCelllnfo−newCarrierTypeデータ構造９２０の追加を伴っても良い。この情報は、セル探索及び再選択を最適化するためにＵＥを支援し得る。
【００２８】
図１０は、本開示に従う例示的な一実施形態のメッセージフロー図１０００を示す。ＵＥ１１４とサービングセルｅＮＢ２１０との間のメッセージフロー図１０００は、ＮＣＴのための処理の指標の一例を提供する。ＵＥは、セル探索及び同期１０１０の後に、ランダムアクセス手順１０２０に基づく接続を実行する。ＲＲＣメッセージ１  １０３０は、ＵＥ１１４によりサービングセルｅＮＢ２１０から受信されても良い。メッセージ１０３０は、サービングセルｅＮＢ２１０に関連するキャリアタイプ、同期情報、及びＲＲＭ測定関連情報を提供するために、PhysicalConfigDedicatedSCellデータアイテム４１０を有しても良い。ＲＲＣメッセージ２  １０４０は、ＵＥ１１４によりサービングセルｅＮＢ２１０から受信されても良い。メッセージ１０４０は、近隣セルｅＮＢに関連するキャリアタイプ、同期情報、及びＲＲＭ測定関連情報を提供するために、MeasObjectEUTRAデータアイテム５１０を有しても良い。次に、ＵＥ１１４は、ＲＲＣメッセージ１  １０３０に基づきサービングセルｅＮＢ２１０の周波数内／間ＲＲＭ測定、及びＲＲＣメッセージ２  １０４０に基づき近隣セルｅＮＢのインター／イントラ周波数ＲＲＭ測定を実行しても良い。
【００２９】
図１１は、本開示に従う例示的な一実施形態の動作のフローチャート１１００を示す。動作１１１０で、ＲＲＣメッセージは、ＵＥのサービングセルのｅＮＢ（evolved  Node  B）から受信される。ＲＲＣメッセージは、サービングセルｅＮＢに関連するキャリア情報を含む。動作１１２０で、キャリアタイプ、同期情報、及びＲＲＭ測定情報は、サービングセルｅＮＢキャリア情報から抽出される。動作１１３０で、ＵＥは、サービングセルｅＮＢキャリア情報と関連する同期情報に基づき、サービングセルｅＮＢと同期される。動作１１４０で、ＲＲＭ信号測定は、サービングセルｅＮＢキャリア情報と関連するＲＲＭ測定情報に基づき、サービングセルｅＮＢに対して実行される。ＲＲＣメッセージは、近隣セルｅＮＢに関連するキャリア情報を含んでも良い。ＵＥは、この追加キャリア情報に基づき、同期し、近隣セルに対して測定を実行しても良い。
【００３０】
図１２は、本開示に従う例示的な一実施形態のプラットフォーム１２００を示す。プラットフォーム１２００は、例えばＵＥ装置（スマートフォン）、タブレット、ラップトップコンピューティング装置、又は無線信号を送信又は受信するよう構成される任意の他の装置のようなモバイル通信装置であっても良い。幾つかの実施形態では、プラットフォーム１２１０は、プロセッサ１２２０、メモリ１２３０、入力／出力（Ｉ／Ｏ）システム１２４０、ディスプレイ／キーボード若しくは例えばタッチスクリーンのような他の種類のユーザインタフェース（ＵＩ）１２７０を有しても良い。プラットフォーム１２１０は、ベースバンド処理モジュール１２５０及びＲＦ処理モジュール１２６０、並びにＭＩＭＯ（Multiple  Input  Multiple  Output）アンテナシステムの部分を形成し得る１又は複数のアンテナ１２８０を更に有しても良い。任意の数のプラットフォーム１２００は、ＬＴＥ若しくはＬＴＥ−Ａ無線ネットワークであっても良い無線ネットワークを介して、ＲＦモジュール１２６０及びアンテナ１２８０を通じて信号を送信又は受信しても良い。
【００３１】
本願明細書に記載の方法の実施形態は、１又は複数のプロセッサにより実行されると個々に若しくは組み合わせて当該方法を実行する命令を格納した１又は複数の記憶媒体を有するシステムで実施されても良い。ここで、プロセッサは、例えば、システムＣＰＵ（例えば、コアプロセッサ）及び／又はプログラマブル回路を含み得る。したがって、本願明細書に記載の方法による動作は、幾つかの異なる物理的位置にある処理構造のような複数の物理的装置に渡り分散されても良い。また、方法の動作は、当業者に理解されるように、個々に又は部分結合されて実行されても良い。したがって、フローチャートの各々の動作の必ずしも全部が実行される必要はない。当業者に理解されるように、本開示はこのような動作の全ての部分結合が可能であることを明示する。
【００３２】
記憶媒体は、任意の種類の有形媒体、例えば、フロッピー（登録商標）ディスク、光ディスク、ＣＤ−ＲＯＭ（compact  disk  read−only  memory）、ＣＤ−ＲＷ（compact  disk  rewritable）、ＤＶＤ（digital  versatile  disk）及び光磁気ディスクを含む任意の種類のディスク、ＲＯＭ（read−only  memory）、動的及び静的ＲＡＭ（random  access  memory）を含むＲＡＭ、ＥＰＲＯＭ（erasable  programmable  read−only  memory）、ＥＥＰＲＯＭ（electrically  erasable  programmable  read−only  memory）、フラッシュメモリ、磁気若しくは光カードのような半導体素子、又は電子命令を格納するのに適する任意の種類の媒体を含み得る。
【００３３】
本願明細書の任意の実施形態で用いられるように、「回路」は、例えば、単独に又は任意の組み合わせで、ハードワイヤド回路、プログラマブル回路、状態機械回路、及び／又はプログラマブル回路により実行される命令を格納するファームウェアを有しても良い。アプリケーション（ａｐｐ）は、ホストプロセッサのようなプログラマブル回路又は他のプログラマブル回路で実行され得るコード又は命令として具現化されても良い。本願明細書の任意の実施形態で用いられるように、モジュールは回路として具現化されても良い。回路は、集積回路チップのような集積回路として具現化されても良い。
【００３４】
したがって、本開示は、無線ネットワーク内のＵＥへの向上されたセル情報指示のための装置、方法及びコンピュータ可読記憶媒体を提供する。
【００３５】
一態様によると、ＵＥが提供される。ＵＥは、ＵＥのサービングセルのｅＮＢからＲＲＣメッセージを受信するよう構成される受信回路を有しても良い。ＲＲＣメッセージは、サービングセルｅＮＢに関連するキャリア情報を有する。本例のＵＥは、サービングセルｅＮＢのキャリア情報から、キャリアタイプ、同期情報、及びＲＲＭ測定情報を抽出するよう構成される処理回路を更に有しても良い。本例のＵＥは、サービングセルｅＮＢのキャリア情報に関連する同期情報に基づき、サービングセルｅＮＢにＵＥを同期させるよう構成される同期回路を更に有しても良い。本例のＵＥは、サービングセルｅＮＢのキャリア情報に関連するＲＲＭ測定情報に基づき、サービングセルｅＮＢに対してＲＲＭ信号測定を実行するよう構成される信号測定回路を更に有しても良い。
【００３６】
別の例示的なＵＥは、前述のコンポーネントを有し、サービングセルｅＮＢからのＲＲＣメッセージは、近隣セルｅＮＢに関連するキャリア情報を更に有し、処理回路は、近隣セルｅＮＢのキャリア情報からキャリアタイプ、同期情報及びＲＲＭ測定情報を抽出するよう更に構成される。
【００３７】
別の例示的なＵＥは、前述のコンポーネントを有し、同期回路は、近隣セルｅＮＢのキャリア情報に関連する同期情報に基づき、ＵＥを近隣セルｅＮＢに同期させるよう更に構成され、信号測定回路は、近隣セルｅＮＢのキャリア情報に関連するＲＲＭ測定情報に基づき、近隣セルｅＮＢに対してＲＲＭ信号測定を実行するよう更に構成される。
【００３８】
別の例示的なＵＥは、前述のコンポーネントを有し、キャリアタイプは、後方互換キャリアタイプ、非同期新キャリアタイプ、同期新キャリアタイプ、及び／又は単独キャリアタイプである。
【００３９】
別の例示的なＵＥは、前述のコンポーネントを有し、同期情報は、ＰＳＳ／ＳＳＳのための状態指示と、ＰＳＳ／ＳＳＳに関連する参照セルインデックスと、を有する。
【００４０】
別の例示的なＵＥは、前述のコンポーネントを有し、ＲＲＭ測定情報は、ＣＳＩ−ＲＳ使用指示と、ＣＲＳ使用指示と、を有する。
【００４１】
別の例示的なＵＥは、前述のコンポーネントを有し、ＲＲＭ測定情報は、ＣＲＳ送信のためのサブフレーム識別子と、ｅＰＤＣＣＨのためのサブフレーム識別子とを有する。
【００４２】
別の例示的なＵＥは、前述のコンポーネントを有し、ＲＲＭ測定情報は、サービングセルｅＮＢの無線フレームと近隣セルｅＮＢの無線フレームとの間のスロット番号オフセット、及びサービングセルｅＮＢの無線フレームと近隣セルｅＮＢの無線フレームとの間のスロットタイミングオフセットを有する。
【００４３】
別の態様によると、ＵＥが提供される。ＵＥは、ＵＥのサービングセルのｅＮＢからＲＲＣメッセージを受信するよう構成される受信回路を有しても良い。ＲＲＣメッセージは、ＵＥに関連する近隣セルのリストを有する。本例のＵＥは、近隣セルのリストから、近隣セルｅＮＢに関連するキャリア情報を抽出するよう構成される処理回路を更に有する。キャリア情報は、キャリアタイプ、同期情報、及びＲＲＭ測定情報を有する。本例のＵＥは、同期情報に基づき、近隣セルｅＮＢにＵＥを同期させるよう構成される同期回路を更に有しても良い。
【００４４】
別の例示的なＵＥは、前述のコンポーネントを有し、キャリアタイプは、後方互換キャリアタイプ、非同期新キャリアタイプ、同期新キャリアタイプ、及び／又は単独キャリアタイプである。
【００４５】
別の例示的なＵＥは、上述のコンポーネントを有し、ＲＲＭ測定情報に基づき近隣セルｅＮＢに対してＲＲＭ信号測定を実行するよう構成される信号測定回路を更に有し、同期情報は、ＰＳＳ／ＳＳＳの状態指示と、ＰＳＳ／ＳＳＳに関連する参照セルインデックスと、を有する。
【００４６】
別の例示的なＵＥは、前述のコンポーネントを有し、ＲＲＭ測定情報は、ＣＳＩ−ＲＳ使用指示と、ＣＲＳ（Cell  Specific  Reference  Signal）使用指示と、を有する。
【００４７】
別の例示的なＵＥは、前述のコンポーネントを有し、ＲＲＭ測定情報は、ＣＲＳ送信のためのサブフレーム識別子と、ｅＰＤＣＣＨのためのサブフレーム識別子とを有する。
【００４８】
別の例示的なＵＥは、前述のコンポーネントを有し、ＲＲＭ測定情報は、サービングセルｅＮＢの無線フレームと近隣セルｅＮＢの無線フレームとの間のスロット番号オフセット、及びサービングセルｅＮＢの無線フレームと近隣セルｅＮＢの無線フレームとの間のスロットタイミングオフセットを有する。
【００４９】
別の例示的なＵＥは、前述のコンポーネントを有し、処理回路に結合されるメモリと、処理回路に結合されるＩ／Ｏシステムと、Ｉ／Ｏシステムに結合されるタッチスクリーンディスプレイと、を更に有する。
【００５０】
別の態様によると、ＵＥが提供される。ＵＥは、ＵＥのサービングセルのｅＮＢからメッセージを受信するよう構成される受信回路を有しても良い。メッセージはＳＩＢを有し、ＳＩＢはＵＥに関連する近隣セルのリストを有する。本例のＵＥは、近隣セルのリストから、近隣セルｅＮＢに関連するキャリア情報を抽出するよう構成される処理回路を更に有する。キャリア情報は、キャリアタイプ、同期情報、及びＲＲＭ測定情報を有する。本例のＵＥは、同期情報に基づき、近隣セルｅＮＢにＵＥを同期させるよう構成される同期回路を更に有しても良い。本例のＵＥは、ＲＲＭ測定情報に基づき、近隣セルｅＮＢに対してＲＲＭ信号測定を実行するよう構成される信号測定回路を更に有しても良い。
【００５１】
別の例示的なＵＥは、前述のコンポーネントを有し、ＳＩＢはSystem  Information  Block  Type  ４であり、近隣セルｅＮＢはサービングセルｅＮＢに関連するイントラ周波数セルである。
【００５２】
別の例示的なＵＥは、前述のコンポーネントを有し、ＳＩＢはSystem  Information  Block  Type  ５であり、近隣セルｅＮＢはサービングセルｅＮＢに関連するインター周波数セルである。
【００５３】
別の例示的なＵＥは、前述のコンポーネントを有し、キャリアタイプは、後方互換キャリアタイプ、非同期新キャリアタイプ、同期新キャリアタイプ、及び／又は単独キャリアタイプである。
【００５４】
別の例示的なＵＥは、前述のコンポーネントを有し、同期情報は、ＰＳＳ／ＳＳＳのための状態指示と、ＰＳＳ／ＳＳＳに関連する参照セルインデックスと、を有する。
【００５５】
別の例示的なＵＥは、前述のコンポーネントを有し、ＲＲＭ測定情報は、ＣＳＩ−ＲＳ使用指示と、ＣＲＳ使用指示と、を有する。
【００５６】
別の例示的なＵＥは、前述のコンポーネントを有し、ＲＲＭ測定情報は、ＣＲＳ送信のためのサブフレーム識別子と、ｅＰＤＣＣＨのためのサブフレーム識別子とを有する。
【００５７】
別の例示的なＵＥは、前述のコンポーネントを有し、ＲＲＭ測定情報は、サービングセルｅＮＢの無線フレームと近隣セルｅＮＢの無線フレームとの間のスロット番号オフセット、及びサービングセルｅＮＢの無線フレームと近隣セルｅＮＢの無線フレームとの間のスロットタイミングオフセットを有する。
【００５８】
更に別の態様によると、方法が提供される。方法は、ＵＥのサービングセルのｅＮＢからＲＲＣメッセージを受信するステップを有しても良い。ＲＲＣメッセージは、サービングセルｅＮＢに関連するキャリア情報を有する。本例の方法は、キャリアタイプ、同期情報、及びＲＲＭ測定情報をサービングセルｅＮＢキャリア情報から抽出するステップを更に有しても良い。本例の方法は、サービングセルｅＮＢのキャリア情報に関連する同期情報に基づき、サービングセルｅＮＢにＵＥを同期させるステップを更に有しても良い。本例の方法は、サービングセルｅＮＢのキャリア情報に関連するＲＲＭ測定情報に基づき、サービングセルｅＮＢに対してＲＲＭ信号測定を実行するステップを更に有しても良い。本例の方法は、追加キャリア情報に基づき、近隣セルに同期させ近隣セルに対して測定を実行するステップを更に有しても良い。ＲＲＣメッセージは、近隣セルｅＮＢに関連する追加キャリア情報を有する。
【００５９】
別の態様によると、命令を格納されたコンピュータ可読記憶媒体が提供される。命令は、プロセッサにより実行されると、前述の無線ネットワーク内のＵＥへのセル情報の指示を向上するための動作を生じさせる。
【００６０】
本願明細書で用いられる用語及び表現は、説明のために用いられるものであり、限定ではない。また、このような用語及び表現の使用により、図示及び記載された特徴（又はそれらの部分）のいかなる等価物も除外されず、種々の変更が請求の範囲に包含され得ることが理解される。したがって、請求の範囲は、全てのそのような等価物を包含する。種々の特徴、態様、及び実施形態が本が明細書に記載された。当業者により理解されるように、これらの特徴、態様、及び実施形態は、変形及び変更とともに互いに結合され得る。したがって、本開示は、このような結合、変形及び変更を包含する。
【図１】
0005901834.tif 000002
【図２】
0005901834.tif 000003
【図３】
0005901834.tif 000004
【図４】
0005901834.tif 000005
【図５】
0005901834.tif 000006
【図６】
0005901834.tif 000007
【図７】
0005901834.tif 000008
【図８】
0005901834.tif 000009
【図９】
0005901834.tif 000010
【図１０】
0005901834.tif 000011
【図１１】
0005901834.tif 000012
【図１２】
0005901834.tif 000013